【事件の表示】
　特許第２６０３７５１号「排ワラカッター」の特許に対する特許異議の申立てについて、次のとおり決定する。
【結論】
　訂正を認める。
　特許第２６０３７５１号の特許を維持する。
【理由】
Ｉ．手続きの経緯
　本件特許第２６０３７５１号発明（平成２年１１月２日特許出願、平成９年１月２９日設定登録）の特許に対し、三菱農機株式会社より特許異議の申立てがなされた。
　当審において取消理由を通知したところ、平成１０年１２月２５日に訂正請求がなされ、さらに、訂正拒絶理由を通知したところ、訂正明細書を補正する手続補正書が提出された。
ＩＩ．訂正の適否についての判断
１．訂正の内容
　上記手続補正は、訂正請求書に添付した明細書の特許請求の範囲及び発明の詳細な説明の〔問題を解決するための手段〕に記載された「この掻き出し回転体（２０）を、第１回転軸体（３）の回転軸芯方向に平面を沿わせた部材で構成してある」を、「この掻き出し回転体（２０）は、前記スペーサ部材（３Ｂ）の外周部に外方側から装着可能となるように、前記スペーサ部材（３Ｂ）の外周部に沿う板面が第１回転軸体（３）の周方向で分割された板状の分割体（２０ａ）を組合せて構成されている」と補正するものであり、訂正請求の要旨を変更するものではない。
　よって、特許権者が求めている訂正の内容は、上記手続補正で補正された訂正明細書のとおりに訂正しようとするものである。すなわち、
（１）特許請求の範囲の訂正
　▲１▼平成８年８月１４日付け提出の手続補正書に添付した全文訂正明細書（以下、「特許明細書」という）の第１頁第１１行（特許公報第１欄第１２行）の「排ワラカッターであって、」の後に、「前記第１回転軸体（３）を、駆動力が伝達される第１駆動軸（３Ａ）と、その第１駆動軸（３Ａ）に外嵌する状態で各第１回転刃（２）の間に設けられた筒状のスペーサ部材（３Ｂ）とから構成し、」を加入する。
　▲２▼特許明細書の第１頁第１２行（同公報第１欄第１３〜１４行）の「前記第１回転軸体（３）」を、「前記スペーサ部材（３Ｂ）」に訂正する。
　▲３▼特許明細書の第１頁第１４行（同公報第２欄第１行）の「配設してある」を、「配設し、この掻き出し回転体（２０）は、前記スペーサ部材（３Ｂ）の外周部に外方側から装着可能となるように、前記スペーサ部材（３Ｂ）の外周部に沿う板面が第１回転軸体（３）の周方向で分割された板状の分割体（２０ａ）を組合せて構成されている」に訂正する。
（２）発明の詳細な説明の訂正
　▲１▼特許明細書の第２頁第１８〜１９行（同公報第３欄第２９行）の「排ワラカッターにおいて、」の後に、「前記第１回転軸体を、駆動力が伝達される第１駆動軸と、その第１駆動軸に外嵌する状態で各第１回転刃の間に設けられた筒状のスペーサ部材とから構成し、」を加入する。
　▲２▼特許明細書の第２頁第２０行（同公報第３欄第３０〜３１行）の「前記第１回転軸体」を「前記スペーサ部材」に訂正する。
　▲３▼特許明細書の第２頁第２１行（同公報第３欄第３２〜３３行）の「配設してある」を、「配設し、この掻き出し回転体は、前記スペーサ部材の外周部に外方側から装着可能となるように、前記スペーサ部材の外周部に沿う板面が第１回転軸体の周方向で分割された板状の分割体を組合せて構成されている」に訂正する。
　▲４▼特許明細書の第２頁第２３〜２６行（同公報第３欄第３５〜４０行）の「第２回転刃が…………とした場合であっても、」を、「第２回転刃が大径の第１回転刃のみと重合する状態においては、第２回転刃と小径の第１回転刃とは噛み合っていないので、排ワラは長いピッチで切断される。
　そして、第２回転刃が全ての第１回転刃と重合する短いピッチでの切断状態では、第２回転刃と大径の第１回転刃の重なり代が大きくなるので切断作用箇所における大径第１回転刃とそれに対向する第２回転刃との間の噛み込み角が大きくなる。このような状態で例えば麦の排ワラを切断すると、最先に作用する途中箇所で切断された長いワラが他の回転刃により噛み込み切断しようとしても、上記したように噛み込み角が大きいので、切断箇所を下に向けたままで上方に立ち上がり、カバーケースとの間に詰まってしまうことがあるが、本発明では、このような場合であっても、」に訂正する。
２．訂正の目的の適否及び拡張・変更の存否
　上記（１）▲１▼▲２▼の訂正は、訂正前の特許請求の範囲の記載された「第１回転軸体」を、「第１駆動軸とスペーサ部材とからなるもの」と具体的な構成に限定するものであり、また、（１）▲３▼の訂正は、訂正前の特許請求の範囲に記載された「掻き出し回転体」を、その下位概念である「スペーサ部材の外周部に外方側から装着可能となるように、前記スペーサ部材の外周部に沿う板面が第１回転軸体の周方向で分割された板状の分割体を組合せて構成されている」に限定するものであるから、（１）▲１▼ないし▲３▼の訂正は特許請求の範囲の減縮を目的とするものである。
　また、（２）▲１▼ないし▲３▼の訂正は、発明の詳細な説明の記載を訂正後の特許請求の範囲の記載と整合させるものであり、さらに、（２）▲４▼の訂正は、第２回転刃が全ての第１回転刃と重合する短いピッチでの切断状態での切断作用を明確にするものであるから、（２）▲１▼ないし▲４▼の訂正は明りょうでない記載の釈明を目的とするものである。
　そして、特許請求の範囲の記載を訂正する、上記（１）▲１▼ないし▲３▼の構成は、特許明細書の第３頁第１１〜１２行の「第１駆動軸（３Ａ）と第１スペーサ部材（３Ｂ）とからなる第１回転軸体（３）」の記載、第４頁第１６〜１８行の「この掻き出し回転体（２０）は、前記第１スペーサ部材（３Ｂ）の外周部に外方側から装着可能となるよう３分割した分割体（２０ａ）をボルト（２１）により締めつけ固定して一体回転するよう構成してある。」の記載、及び、図１、図３、図４から特許明細書又は図面に記載されていることは明らかである。
　したがって、上記（１）▲１▼ないし（２）▲４▼の訂正は、願書に添付した明細書又は図面に記載した事項の範囲内においてするものであって新規事項を追加するものでなく、かつ、実質上特許請求の範囲を拡張し、又は変更するものではない。
３．独立特許要件の判断
（訂正明細書の発明）
　訂正明細書の請求項１に係る発明（以下、「訂正明細書の発明」という）は、上記手続補正書で補正された訂正明細書における特許請求の範囲の請求項１に記載されたとおりの、次の事項により特定されるものである。
　「多数の第１回転刃（２）を第１回転軸体（３）に所定ピッチ（Ｐ）で装着するとともに、所定個数おきの前記第１回転刃（２）を他のものより大径に構成し、前記第１回転軸体（３）と平行な第２回転軸体（４）に同一径の多数の第２回転刃（５）を前記所定ピッチ（Ｐ）と同一ピッチで装着し、
　前記第１回転軸体（３）と第２回転軸体（４）との間隔を、前記第２回転刃（５）が全ての前記第１回転刃（２）と重合する状態と前記第２回転刃（５）が大径の第１回転刃（２）のみと重合する状態とに切り換え自在に構成してある排ワラカッターであって、
　前記第１回転軸体（３）を、駆動力が伝達される第１駆動軸（３Ａ）と、その第１駆動軸（３Ａ）に外嵌する状態で各第１回転刃（２）の間に設けられた筒状のスペーサ部材（３Ｂ）とから構成し、
　前記第１回転軸体（３）における大径の第１回転刃（２）の横側部位に、前記スペーサ部材（３Ｂ）の外周近くから半径方向外方に向けて延出された突起状の切りワラ掻き出し用の掻き出し回転体（２０）を配設し、
　この掻き出し回転体（２０）は、前記スペーサ部材（３Ｂ）の外周部に外方側から装着可能となるように、前記スペーサ部材（３Ｂ）の外周部に沿う板面が第１回転軸体（３）の周方向で分割された板状の分割体（２０ａ）を組合せて構成されている排ワラカッター。」
（引用刊行物記載の発明）
　当審において通知した訂正拒絶理由で引用した特開昭６２−１０４５２３号公報（以下、「引用刊行物１」という）及び実公昭５８−３２５９２号公報（以下、「引用刊行物２」という）には、次の発明が記載されていると認められる（括弧内に、訂正明細書の発明において対応する構成を記す）。
　引用刊行物１
　多数の大径切断刃（６）と小径切断刃（７）（第１回転刃（２））を回転軸（３）（第１回転軸体（３））に所定ピッチで装着するとともに、前記回転軸（３）と平行な回転軸（２）（第２回転軸体（４））に同一径の多数の回転受刃（４）（第２回転刃（５））を前記所定ピッチと同一ピッチで装着し、前記回転軸（３）と回転軸（２）との間隔を、前記回転受刃（４）が全ての前記大径切断刃（６）と小径切断刃（７）と重合する状態と前記回転受刃（４）が大径切断刃（６）のみと重合する状態とに切り換え自在に構成してある排ワラカッターであって、各大径切断刃（６）と小径切断刃（７）の間の前記回転軸（３）に、筒状の巻付防止部材（２４）（スペーサ部材（３Ｂ））を外嵌する状態で設け、供給する排藁を回転受刃（４）と大径切断刃（６）との交差部に案内する案内杆（８）設けてある排ワラカッター。
　引用刊行物２
　多数の回転刃２’（第１回転刃（２））を回転軸１’（第１回転軸体（３））に所定ピッチで装着するとともに、前記回転軸１’と平行な回転軸１（第２回転軸体（４））に同一径の多数の回転刃２（第２回転刃（５））を前記所定ピッチと同一ピッチで装着してある排ワラカッターであって、前記回転軸１，１’の回転刃２，２’間に、回転軸１，１’に沿う方向に羽根板５を設けてある排ワラカッター。
（対比・判断）
　訂正明細書の発明と上記引用刊行物１又は２記載の発明とを比較すると、
　訂正明細書の発明が、「第１回転軸体（３）における大径の第１回転刃（２）の横側部位に、前記スペーサ部材（３Ｂ）の外周近くから半径方向外方に向けて延出された突起状の切りワラ掻き出し用の掻き出し回転体（２０）を配設し、この掻き出し回転体（２０）は、前記スペーサ部材（３Ｂ）の外周部に外方側から装着可能となるように、前記スペーサ部材（３Ｂ）の外周部に沿う板面が第１回転軸体（３）の周方向で分割された板状の分割体（２０ａ）を組合せて構成」しているのに対し、引用刊行物１又は２記載の発明は、前記構成を備えていない点で、訂正明細書の発明は引用刊行物１又は２記載の発明と構成が相違する。
　そして、上記相違点の構成を備える訂正明細書の発明は、訂正明細書記載の効果を奏するものである。
　したがって、訂正明細書の発明が引用刊行物１及び２に記載された発明に基いて当業者が容易に発明をすることができたものとすることはできないから、訂正明細書の発明は特許出願の際独立して特許を受けることができるものである。
４．むすび
　以上のとおりであるから、上記訂正は、特許法第１２０条の４第２項、同条第３項で準用する第１２６条第２ないし４項の規定に適合するので、当該訂正を認める。
ＩＩＩ．特許異議の申立てについて
１．異議申立て理由の概要
　異議申立人三菱農機株式会社は、下記の甲第１号証の１ないし甲第２号証の６を提出し、本件発明の特許は、次の理由により取り消されるべき旨主張している。
　▲１▼本件の請求項１に係る発明は甲第１号証の１ないし甲第２号証の６に記載された発明に基いて当業者が容易に発明をすることができたものであり、その特許は特許法第２９条第２項の規定に違反してされたものである。
　▲２▼本件の請求項１に係る発明の特許は、その明細書が特許法第３６条第３項又は４項に規定する要件を満たしていない出願に対してなされたものである。
　　　　　　　　　　記
甲第１号証の１：実開昭６１−１２５２５４号公報
甲第１号証の２：実開昭６２−１０７３９号公報
甲第１号証の３：実開昭６２−７７５４７号公報
甲第１号証の４：実開昭６３−１２２０４３号公報
甲第１号証の１：実公昭４１−６５５９号公報
甲第２号証の２：特開昭５０−８１８４９号公報
甲第２号証の３：実開昭５１−１５５８６０号公報
甲第２号証の４：実開昭５３−１２５６６５号公報
甲第２号証の５：実開昭５３−１６２０６９号公報
甲第２号証の６：特公昭５７−２９９６８号公報
２．当審の判断
（１）特許法第２９条第２項違反について
　本件の請求項１に係る発明（以下、「本件発明」という）は、上記ＩＩ．３．独立特許要件の判断における「（訂正明細書の発明）」に記載したとおりのものである。
　これに対し、甲第１号証の１ないし４には、多数の第１回転刃を第１回転軸体に所定ピッチで装着するとともに、所定個数おきの前記第１回転刃を他のものより大径に構成し、前記第１回転軸体と平行な第２回転軸体に同一径の多数の第２回転刃を前記所定ピッチと同一ピッチで装着し、前記第１回転軸体と第２回転軸体との間隔を、前記第２回転刃が全ての前記第１回転刃と重合する状態と前記第２回転刃が大径の第１回転刃のみと重合する状態とに切り換え自在に構成してある排ワラカッターが記載されており、また、甲第２号証の１ないし６には、第１回転軸体における第１回転刃の横側部位に、前記第１回転軸体の外周近くから半径方向外方に向けて延出された突起状の切りワラ掻き出し用の掻き出し回転体を配設してある排ワラカッターが記載されていると認められる。
　しかしながら、甲第１号証の１ないし甲第２号証の６には、本件発明の「第１回転軸体（３）における大径の第１回転刃（２）の横側部位に、前記スペーサ部材（３Ｂ）の外周近くから半径方向外方に向けて延出された突起状の切りワラ掻き出し用の掻き出し回転体（２０）を配設し、この掻き出し回転体（２０）は、前記スペーサ部材（３Ｂ）の外周部に外方側から装着可能となるように、前記スペーサ部材（３Ｂ）の外周部に沿う板面が第１回転軸体（３）の周方向で分割された板状の分割体（２０ａ）を組合せて構成」した構成が記載されておらず、且つ、示唆されてもいない。
　そして、前記構成を備える本件発明は、明細書記載の効果を奏するものである。
　よって、本件発明が甲第１号証の１ないし甲第２号証の６記載の発明に基いて当業者が容易に発明をすることができたものとすることはできない。
（２）特許法第３６条第２項違反について
　訂正後の明細書の〔作用〕には、「第２回転刃が大径の第１回転刃のみと重合する状態においては、第２回転刃と小径の第１回転刃とは噛み合っていないので、排ワラは長いピッチで切断される。
　そして、第２回転刃が全ての第１回転刃と重合する短いピッチでの切断状態では、第２回転刃と大径の第１回転刃の重なり代が大きくなるので切断作用箇所における大径第１回転刃とそれに対向する第２回転刃との間の噛み込み角が大きくなる。」と記載されており、「噛み込み角」が不明りょうであるとはいえず、また、訂正前の明細書の〔作用〕の記載における、異議申立人の指摘する矛盾も解消された。
　したがって、異議申立人の主張には理由がない。
３．むすび
　以上のとおりであるから、特許異議申立ての理由及び証拠方法によって、本件発明の特許を取り消すことはできない。
　また、他に本件発明の特許を取り消すべき理由を発見しない。
　よって、結論のとおり決定する。
【異議決定日】
平成１１年１１月１５日（１９９９．１１．１５）
【訂正の要旨】
　特許第２６０３７５１号発明の明細書を本件訂正請求書に添付した訂正明細書のとおりに、すなわち、特許請求の範囲の減縮を目的として下記（１）ないし（３）のとおりに訂正し、明りょうでない記載の釈明を目的として下記（４）ないし（７）のとおりに訂正する。
（１）平成８年８月１４日付け提出の手続補正書に添付した全文訂正明細書（以下、「特許明細書」という）の第１頁第１１行（特許公報第１欄第１２行）の「排ワラカッターであって、」の後に、「前記第１回転軸体（３）を、駆動力が伝達される第１駆動軸（３Ａ）と、その第１駆動軸（３Ａ）に外嵌する状態で各第１回転刃（２）の間に設けられた筒状のスペーサ部材（３Ｂ）とから構成し、」を加入する。
（２）特許明細書の第１頁第１２行（同公報第１欄第１３〜１４行）の「前記第１回転軸体（３）」を、「前記スペーサ部材（３Ｂ）」に訂正する。
（３）特許明細書の第１頁第１４行（同公報第２欄第１行）の「配設してある」を、「配設し、この掻き出し回転体（２０）は、前記スペーサ部材（３Ｂ）の外周部に外方側から装着可能となるように、前記スペーサ部材（３Ｂ）の外周部に沿う板面が第１回転軸体（３）の周方向で分割された板状の分割体（２０ａ）を組合せて構成されている」に訂正する。
（４）特許明細書の第２頁第１８〜１９行（同公報第３欄第２９行）の「排ワラカッターにおいて、」の後に、「前記第１回転軸体を、駆動力が伝達される第１駆動軸と、その第１駆動軸に外嵌する状態で各第１回転刃の間に設けられた筒状のスペーサ部材とから構成し、」を加入する。
（５）特許明細書の第２頁第２０行（同公報第３欄第３０〜３１行）の「前記第１回転軸体」を「前記スペーサ部材」に訂正する。
（６）特許明細書の第２頁第２１行（同公報第３欄第３２〜３３行）の「配設してある」を、「配設し、この掻き出し回転体は、前記スペーサ部材の外周部に外方側から装着可能となるように、前記スペーサ部材の外周部に沿う板面が第１回転軸体の周方向で分割された板状の分割体を組合せて構成されている」に訂正する。
（７）特許明細書の第２頁第２３〜２６行（同公報第３欄第３５〜４０行）の「第２回転刃が…………とした場合であっても、」を、「第２回転刃が大径の第１回転刃のみと重合する状態においては、第２回転刃と小径の第１回転刃とは噛み合っていないので、排ワラは長いピッチで切断される。
そして、第２回転刃が全ての第１回転刃と重合する短いピッチでの切断状態では、第２回転刃と大径の第１回転刃の重なり代が大きくなるので切断作用箇所における大径第１回転刃とそれに対向する第２回転刃との間の噛み込み角が大きくなる。このような状態で例えば麦の排ワラを切断すると、最先に作用する途中箇所で切断された長いワラが他の回転刃により噛み込み切断しようとしても、上記したように噛み込み角が大きいので、切断箇所を下に向けたままで上方に立ち上がり、カバーケースとの間に詰まってしまうことがあるが、本発明では、このような場合であっても、」に訂正する。
（５４）【発明の名称】
排ワラカッター
（５７）【特許請求の範囲】
　多数の第１回転刃（２）を第１回転軸体（３）に所定ピッチ（Ｐ）で装着するとともに、所定個数おきの前記第１回転刃（２）を他のものより大径に構成し、前記第１回転軸体（３）と平行な第２回転軸体（４）に同一径の多数の第２回転刃（５）を前記所定ピッチ（Ｐ）と同一ピッチで装着し、
　前記第１回転軸体（３）と第２回転軸体（４）との間隔を、前記第２回転刃（５）が全ての前記第１回転刃（２）と重合する状態と前記第２回転刃（５）が大径の第１回転刃（２）のみと重合する状態とに切り換え自在に構成してある排ワラカッターであって、
　
前記第１回転軸体（３）を、駆動力が伝達される第１駆動軸（３Ａ）と、その第１駆動軸（３Ａ）に外嵌する状態で各第１回転刃（２）の間に設けられた筒状のスペーサ部材（３Ｂ）とから構成し、
　前記第１回転軸体（３）における大径の第１回転刃（２）の横側部位に、
前記スペーサ部材（３Ｂ）
し、
　
この掻き出し回転体（２０）は、前記スペーサ部材（３Ｂ）の外周部に外方側から装着可能となるように、前記スペーサ部材（３Ｂ）の外周部に沿う板面が第１回転軸体（３）の周方向で分割された板状の分割体（２０ａ）を組合せて構成されている
【発明の詳細な説明】
〔産業上の利用分野〕
　本発明は、多数の第１回転刃を第１回転軸体に所定ピッチで装着するとともに、所定個数おきの前記第１回転刃を他のものより大径に構成し、前記第１回転軸体と平行な第２回転軸体に同一径の多数の第２回転刃を前記所定ピッチと同一ピッチで装着し、前記第１回転軸体と第２回転軸体との間隔を、前記第２回転刃が全ての前記第１回転刃と重合する状態と前記第２回転刃が大径の第１回転刃のみと重合する状態とに切り換え自在に構成してある排ワラカッターに関する。
〔従来の技術〕
　上記構成の排ワラカッターにおいて、従来では、例えば実開昭６４−２６９４８号公報に示されているように、各回転刃の間には円筒状のスペーサ部材を介在させるよう構成したものがあった。
〔発明が解決しようとする課題〕
　上記構成の排ワラカッターは、一方の回転軸体をケース外方側からの操作によりスライドさせて、排ワラの切断長さを長短２種類に容易に切り換え操作できるようにしたものである。
　ところが、上記従来構造において、切断長を短く設定した場合には、大径の第１回転刃の重なり代が大きくなるので切断作用箇所における大径第１回転刃とそれに対向する第２回転刃との間の噛み込み角が大きくなる。このような状態で例えば麦の排ワラを切断すると、最先に作用する途中箇所で切断された長いワラが他の回転刃により噛み込み切断しようとしても、上記したように噛み込み角が大きいので、切断箇所を下に向けたままで上方に立ち上がり、カバーケースとの間に詰まってしまうことがあった。その結果、多数の長ワラが滞留して切断作用が阻害されてしまうおそれがあった。
　本発明の目的は、上記不具合点を解消する点にある。
〔課題を解決するための手段〕
　本発明の特徴構成は、多数の第１回転刃を第１回転軸体に所定ピッチで装着するとともに、所定個数おきの前記第１回転刃を他のものより大径に構成し、前記第１回転軸体と平行な第２回転軸体に同一径の多数の第２回転刃を前記所定ピッチと同一ピッチで装着し、前記第１回転軸体と第２回転軸体との間隔を、前記第２回転刃が全ての前記第１回転刃と重合する状態と前記第２回転刃が大径の第１回転刃のみと重合する状態とに切り換え自在に構成してある排ワラカッターにおいて、
前記第１回転軸体を、駆動力が伝達される第１駆動軸と、その第１駆動軸に外嵌する状態で各第１回転刃の間に設けられた筒状のスペーサ部材とから構成し、
前記スペーサ部材
し、この掻き出し回転体は、前記スペーサ部材の外周部に外方側から装着可能となるように、前記スペーサ部材の外周部に沿う板面が第１回転軸体の周方向で分割された板状の分割体を組合せて構成されている
〔作用〕
　第２回転刃が大径の第１回転刃のみと重合する状態においては、
第２回転刃と小径の第１回転刃とは噛み合っていないので、排ワラは長いピッチで切断される。
　
そして、第２回転刃が全ての第１回転刃と重合する短いピッチでの切断状態では、第２回転刃と大径の第１回転刃の重なり代が大きくなるので切断作用箇所における大径第１回転刃とそれに対向する第２回転刃との間の噛み込み角が大きくなる。このような状態で例えば麦の排ワラを切断すると、最先に作用する途中箇所で切断された長いワラが他の回転刃により噛み込み切断しようとしても、上記したように噛み込み角が大きいので、切断箇所を下に向けたままで上方に立ち上がり、カバーケースとの間に詰まってしまうことがあるが、本発明では、このような場合であっても、
〔発明の効果〕
　従って、本発明によれば、簡易な構成により切断長を複数種類に切り換え操作自在なものでありながら、その構成を採用したことによる回転刃の噛み込み角の増大に起因する長ワラの詰まりの発生を、簡単な部材を付加するだけの簡易な構造改良により阻止することができるものとなった。
〔実施例〕
　以下、本発明の実施例を図面に基いて説明する。
　第２図に本発明に係る排ワラカッターを示している。この排ワラカッターは、コンバインに搭載された脱穀装置（１）の後部に連結され、脱穀後の排ワラを所定長さに裁断して圃場に放出するよう構成してある。
　前記排ワラカッターは、多数の第１回転刃（２）を、第１駆動軸（３Ａ）と第１スペーサ部材（３Ｂ）とからなる第１回転軸体（３）に所定ピッチ（Ｐ）で装着するとともに、所定個数おきの前記第１回転刃（２）を他のものより大径に構成し、前記第１回転軸体（３）と平行な第２回転軸体（４）に同一径の多数の第２回転刃（５）を前記所定ピッチ（Ｐ）と同一ピッチで装着し、前記第１回転軸体（３）と第２回転軸体（４）との間隔を、前記第２回転刃（５）が全ての前記第１回転刃（２）と重合する状態と前記第２回転刃（５）が大径の第１回転刃（２）のみと重合する状態とに切り換え自在に構成してある。詳述すると、第１図に示すように、前記各回転刃（２），（５）は、それぞれ各スペーサ部材（３Ｂ），（４Ｂ）を介して各駆動軸（３Ａ），（４Ａ）に外嵌装着してあり、第２回転刃（５）の横側には掻き込み案内体（７）を一体回転自在に設けてある。そして、第１回転刃（２）における２個おきのものを他のものより大径に構成して、全ての第１回転刃（２）が第２回転刃（５）に重合することで、排ワラを短いピッチで切断することができ（第４図参照）、大径の第１回転刃（２）のみと第２回転刃（５）とを重合させることで、排ワラを長目のピッチで切断することができる（第１図参照）。つまり、第２回転刃（５）を支持する第２回転軸体（４）の第２駆動軸（４Ａ）はカッターケース（８）の左右両側壁部分に横軸芯周りで揺動自在に枢支された揺動部材（９）にベアリング支承され、左右各揺動部材（９），（９）は揺動端側において、長孔（１０）を挿通するボルト（１１）により、上記したような２状態に切り換え揺動調節自在に構成してある。
　前記各回転軸体（３），（４）は、脱穀装置（１）側から伝動ベルト（１２）を介して動力を供給して駆動するよう構成してある。前記伝動ベルト（１２）は第１回転軸体（２）に取りつけた従動プーリ（１３）に巻回され、この従動プーリ（１３）は割りプーリ式に構成してあり、可動側プーリ（１３ａ）が電動モータ（１４）により操作される乗り上がりカム機構（１５）によってスライド移動して、プーリ間隔を変更調節し、その回転速度を無段階に変更できるよう構成し、脱穀装置（１）のフィードチェーン（１６）に対設した挟持レール（１７）の穀稈処理量に対応する上下変位量を検出する検出センサ（Ｓ）の検出結果に応じて、制御装置（１８）が前記電動モータ（１４）を駆動制御するよう構成してある。
　又、第１回転軸体（３）と第２回転軸体（４）とは、ギア伝動機構（１９）により連動連結してあり、第２回転軸体（４）は第１回転軸体（３）よりも低速で回転駆動するよう構成してある。
　そして、第３図にも示すように、前記第１回転軸体（３）における大径の第１回転刃（２）の排ワラ株元側の横側部位に、前記第１回転軸体（３）の外周近くから半径方向外方に向けて延出された突起状の切りワラ掻き出し用の掻き出し回転体（２０）を配設してある。この掻き出し回転体（２０）は、前記第１スペーサ部材（３Ｂ）の外周部に外方側から装着可能となるよう３分割した分割体（２０ａ）をボルト（２１）により締めつけ固定して一体回転するよう構成してある。
　このように掻き出し回転体（２０）を設けることで、比較的硬く、折れやすい麦桿を上記した短いピッチで切断する際に、各回転刃（２），（５）の噛み込み角が大きくなるので、途中部で切断され、長いままで立ち上がろうとした場合であっても、このような長ワラは前記掻き出し回転体（２０）により滞留するのを防止することができるのである。
　尚、特許請求の範囲の項に図面との対照を容易にするために符号を記すが、該記入により本発明は添付図面の構成に限定されるものではない。
【図面の簡単な説明】
　図面は本発明の実施例に係る排ワラカッターの実施例を示し、第１図は切欠背面図、第２図は側面図、第３図は掻き出し回転体配設部の断面図、第４図は短ピッチ切断時の背面図である。
　（２）……第１回転刃、（３）……第１回転軸体、（４）……第２回転軸体、
（５）……第２回転刃、（２０）……掻き出し回転体、（Ｐ）……ピッチ。